(57)【要約】【課題】容器２０を任意に傾けても、薬液を正しく滴下して点眼する。【解決手段】容器２０の口部２１と同方向に突出する頂部１１と、頂部１１の外周に形成する複数の薬液通路１２、１２…とを設ける。  容器２０を傾けると、容器２０内の薬液Ｗは、容器２０の口部２１に連通する各薬液通路１２の開口部を介して漏出し、頂部１１の外面に水滴Ｗ1 を形成して１滴ずつ滴下される。【選択図】図４
2005118536.tif 000002
【特許請求の範囲】
【請求項１】
容器の口部と同方向に突出するドーム状の頂部の外周に対し、該頂部の軸心方向に複数の薬液通路を形成してなり、該薬液通路は、それぞれ前記頂部の軸心に最も近い位置に開口する開口部を介して容器の口部に連通することを特徴とする点眼薬容器の滴下ノズル。
【請求項２】
前記頂部の下部には、該頂部の最大外径より大径の水切り用の段またはエッジを形成することを特徴とする請求項１記載の点眼薬容器の滴下ノズル。
【請求項３】
前記頂部は、容器の口部に圧入するスカート部とともに容器と別体の中栓として形成することを特徴とする請求項１または請求項２記載の点眼薬容器の滴下ノズル。
【請求項４】
前記中栓は、前記スカート部を形成する内筒と、前記頂部を形成する外筒とを組み合わせることを特徴とする請求項３記載の点眼薬容器の滴下ノズル。
【請求項５】
前記頂部は、容器の口部の先端に容器と一体に形成することを特徴とする請求項１または請求項２記載の点眼薬容器の滴下ノズル。
【発明の詳細な説明】
【技術分野】
【０００１】
この発明は、任意の角度に傾けても薬液を正しく滴下して点眼することができる点眼薬容器の滴下ノズルに関する。
【背景技術】
【０００２】
容器を下向きにするだけでなく、任意の角度に傾けても、ほぼ一定量の薬液を正しく点眼することができる点眼薬容器が知られている（特許文献１）。
【０００３】
この点眼薬容器の口部には、特殊な中栓が装着されており、中栓は、容器の口部に装着する円筒状の本体部の先端に、複数の舌片を介して弾発的に支持するドーム状の頭部を有する。そこで、このものは、容器を傾けることにより、本体部と頭部との間の隙間を介して容器内の薬液を頭部の外面に導き、一定の大きさの水滴を形成させることができるので、容器の傾き角度に拘らず、ほぼ一定量ずつの薬液を正しく滴下させて点眼することができる。
【特許文献１】特開平１１−１２８３１３号公報
【発明の開示】
【発明が解決しようとする課題】
【０００４】
かかる従来技術によるときは、容器からの薬液は、頭部の外面に付着して水滴を形成するが、頭部の径が本体部の外径とほぼ同一であるため、容器を正立姿勢に戻すと、水滴が本体部の外面に流れ易く、いわゆる液だれを生じることが少なくないという欠点があった。
【０００５】
そこで、この発明の目的は、かかる従来技術の問題に鑑み、ドーム状の頂部の外周に複数の薬液通路を形成することによって、液だれが生じ難く、任意の角度に傾けても薬液を正しく滴下して点眼することができる点眼薬容器の滴下ノズルを提供することにある。
【課題を解決するための手段】
【０００６】
かかる目的を達成するためのこの発明の構成は、容器の口部と同方向に突出するドーム状の頂部の外周に対し、頂部の軸心方向に複数の薬液通路を形成してなり、薬液通路は、それぞれ頂部の軸心に最も近い位置に開口する開口部を介して容器の口部に連通することをその要旨とする。
【０００７】
なお、頂部の下部には、頂部の最大外径より大径の水切り用の段またはエッジを形成することができる。
【０００８】
また、頂部は、容器の口部に圧入するスカート部とともに容器と別体の中栓として形成してもよく、中栓は、スカート部を形成する内筒と、頂部を形成する外筒とを組み合わせてもよい。
【０００９】
さらに、頂部は、容器の口部の先端に容器と一体に形成することができる。
【発明の効果】
【００１０】
かかる発明の構成によるときは、ドーム状の頂部の外周に形成する複数の薬液通路は、それぞれ開口部を介して容器の口部に連通している。そこで、容器を傾けると、容器内の薬液は、開口部を介して薬液通路に漏出し、薬液通路を満たした上で頂部の外面に水滴を形成し、ほぼ一定量ずつ滴下して点眼することができる。なお、開口部は、頂部の軸心に最も近い位置に開口しているため、容器を元の正立姿勢に戻すと、薬液通路内を含む頂部の外面上の薬液は、開口部を介して円滑に容器内に戻り、頂部の下側に液だれするおそれがない。ただし、各薬液通路の開口部は、頂部の軸心と同方向に開口しているものとし、各薬液通路の断面積は、薬液の表面張力により薬液によって容易に満たされる程度の大きさに形成するものとする。また、各薬液通路は、頂部の外周に対し、断面Ｖ字状、断面長円状などに形成するものとする。
【００１１】
頂部の下部に形成する水切り用の段またはエッジは、各薬液通路の下部に位置し、容器を正立姿勢に戻すとき、薬液の流下を阻止し、液だれを一層効果的に防止することができる。なお、段またはエッジは、頂部の下部の最大外径より大径とし、頂部の外側に突出するように形成するものとする。
【００１２】
頂部は、スカート部とともに容器と別体の中栓として形成することにより、容器と異なる適切な材質を選択することができる。たとえばポリエチレンテレフタレート、ポリエチレンナフタレートなどの硬質材料によって容器を製造するとき、中栓としてたとえば低密度ポリエチレン、ポリプロピレン、ポリメチルペンテンなどの軟質材料を使用すれば、ＡＢＳ樹脂、ＡＳ樹脂などの硬質材料のキャップによる良好な密封性を容易に実現することができる。また、スカート部を形成する内筒と、頂部を形成する外筒とを組み合わせる中栓は、前者を硬質材料とし、後者を軟質材料とすることにより、容器内の薬液が軟質材料と接触することがなく、薬液成分が軟質材料に吸着されることによる薬液の変質のおそれを最少に抑えることができる。
【００１３】
頂部は、容器の口部の先端に容器と一体に形成することにより、軟質材料による薬液成分の吸着をほぼ完全に排除することができる。ただし、容器は、硬質材料によって形成し、薬液通路をシールするキャップのシール部材のみを軟質材料により形成するものとする。
【発明を実施するための最良の形態】
【００１４】
以下、図面を以って発明の実施の形態を説明する。
【００１５】
点眼薬容器の滴下ノズルは、ドーム状の頂部１１と、頂部１１の外周に形成する複数の薬液通路１２、１２…とを備えてなる（図１）。ただし、図１（Ａ）、（Ｂ）は、それぞれ中央縦断面図、上面図であり、図示の頂部１１は、容器２０の口部２１に圧入するスカート部１３とともに、容器２０と別体の中栓１０として形成されている。
【００１６】
頂部１１の下部には、共通の水切り用の段１４ａを介して厚肉円筒状の中間部１４が形成され、中間部１４の下端には、容器２０の口部２１の先端面に適合する外フランジ１４ｂが形成されている。また、中間部１４の下端には、薄肉のスカート部１３が垂設されている。頂部１１、中間部１４、スカート部１３は、同一の軸心Ｃ上に形成されており、したがって、頂部１１は、容器２０の口部２１と同方向に突出している。なお、頂部１１の下端の最大外径は、中間部１４の外径より小さく、段１４ａは、頂部１１の外周より外側に突出している。
【００１７】
各薬液通路１２は、頂部１１の軸心Ｃ方向に形成され、頂部１１のまわりに等間隔に配置されている（図１、図２）。また、各薬液通路１２は、頂部１１の径方向に開く断面Ｖ字状に形成されている。各薬液通路１２の下端は、頂部１１の軸心Ｃに最も近い位置に軸心Ｃと同方向に開口する開口部１２ａを介し、中間部１４の内部、すなわち容器２０の口部２１に連通している。なお、開口部１２ａは、各薬液通路１２の最深部の稜線が中間部１４の内面より軸心Ｃ側に位置することにより、各薬液通路１２の下端に扇形に開口している。
【００１８】
容器２０の口部２１には、キャップ３０用の雄ねじ２２が形成されている（図１、図３）。キャップ３０には、雄ねじ２２に適合する雌ねじ３１と、中栓１０の頂部１１を収納する下向きドーム状の収納部３２と、中栓１０の段１４ａに対応するシール部３３と、外フランジ１４ｂに対応する過大な締込み防止用のストッパ部３４とが形成されている（図３の実線）。そこで、キャップ３０は、容器２０の口部２１にねじ締めすることにより、中栓１０を介して口部２１を着脱自在に封止することができる（同図の二点鎖線）。なお、中栓１０は、容器２０、キャップ３０をそれぞれ硬質材料によって一体成形するとき、適切な軟質材料を選定するものとする。
【００１９】
キャップ３０を外して容器２０を下向きにすると（図４（Ａ））、容器２０内の薬液Ｗは、中栓１０の開口部１２ａ、１２ａ…を介して薬液通路１２、１２…に漏出し（同図の矢印方向）、薬液通路１２、１２…を満たした上、頂部１１の先端の最下部に水滴Ｗ1 を形成する。そこで、薬液Ｗは、水滴Ｗ1 の１滴ずつが滴下され、ほぼ一定量ずつを正しく点眼することができる。一方、容器２０を斜めに傾けると（図４（Ｂ））、同様にして薬液通路１２、１２…に漏出する薬液Ｗ（同図の矢印方向）は、頂部１１の最下部に水滴Ｗ1 を形成し、水滴Ｗ1 の１滴ずつを滴下して点眼することができる。なお、このようにして薬液Ｗを滴下して点眼するとき、容器２０の胴部を適当に押圧して弾性変形させ、薬液Ｗを強制的に流出させてもよい。
【００２０】
図４（Ａ）、（Ｂ）の状態から容器２０を正立姿勢に戻すと、頂部１１の外面に付着している薬液Ｗは、開口部１２ａ、１２ａ…を介して容器２０内に円滑に戻る。頂部１１の下部には、水切り用の段１４ａが形成されている上、頂部１１上の薬液Ｗの大部分は、薬液通路１２、１２…内にあり、各薬液通路１２の下端には、容器２０の口部２１に連通する開口部１２ａが開口しているからである。
【他の実施の形態】
【００２１】
頂部１１の外周に形成する薬液通路１２、１２…は、頂部１１の径方向に長軸を有する断面長円状に形成することができる（図５）。ただし、図５（Ａ）、（Ｂ）は、それぞれ中央縦断面図、上面図である。
【００２２】
頂部１１の下部には、共通の水切り用のエッジ１４ｃが形成されており、頂部１１の軸心Ｃ方向の各薬液通路１２は、軸心Ｃに最も近い位置に軸心Ｃと同方向に開口する開口部１２ａを介して容器２０の口部２１に連通している。なお、各開口部１２ａは、対応する薬液通路１２の下端において、軸心Ｃと平行な透孔として形成されている。
【００２３】
図５の中栓１０に適合するキャップ３０には、容器２０側の雄ねじ２２に適合する雌ねじ３１の他、頂部１１を収納する収納部３２、エッジ１４ｃに対応するシール部３３、外フランジ１４ｂに対応するストッパ部３４が形成されている（図６の実線）。キャップ３０は、雌ねじ３１、雄ねじ２２を介して口部２１に装着することにより、中栓１０を介して口部２１を着脱自在に封止することができる（同図の二点鎖線）。
【００２４】
キャップ３０を外して容器２０を下向きにし（図７（Ａ））、または下向きに傾けると（同図（Ｂ））、容器２０内の薬液Ｗは、開口部１２ａ、１２ａ…を介して薬液通路１２、１２…に漏出し（同図（Ａ）、（Ｂ）の各矢印方向）、頂部１１の外面に水滴Ｗ1 を形成して滴下される。容器２０を正立姿勢に戻すと、頂部１１上の薬液Ｗは、開口部１２ａ、１２ａ…を介して容器２０内に戻り、液だれを生じることがない。なお、頂部１１の下部のエッジ１４ｃは、薬液Ｗを水切りし、一層有効に液だれを防止する。すなわち、図７（Ｂ）において、容器２０の口部２１を水平方向から約５°程度上向きに保持しても、液だれを生じることなく薬液Ｗを正しく滴下することができる。
【００２５】
中栓１０は、スカート部１３を形成する内筒１０ａと、頂部１１を形成する外筒１０ｂとを組み合わせることができる（図８）。ただし、図８（Ａ）〜（Ｃ）は、それぞれ中央縦断面図、上面図、外形図である。
【００２６】
軟質材料からなる外筒１０ｂは、硬質材料からなる内筒１０ａの上から被せるようにして、内筒１０ａと一体に組み立てられている。なお、内筒１０ａの上部外面には、抜け止め用の突条１６ａが形成され、外筒１０ｂには、突条１６ａに対応する係合凹部１６ｂが形成されている。外筒１０ｂの薬液通路１２、１２…の下端の開口部１２ａ、１２ａ…は、内筒１０ａの中心部に形成する上向きのテーパ孔１５の上端に連通しており、テーパ孔１５の底部は、上向きのオリフィス１５ａを介してスカート部１３の天面に開口している。なお、薬液通路１２、１２…は、それぞれ頂部１１の周方向に長軸を有する断面変形長円状に形成されている。
【００２７】
内筒１０ａのスカート部１３は、外筒１０ｂの外フランジ１４ｂの下のカバー部１４ｄとともに、容器２０の口部２１に圧入される。中栓１０を口部２１に挿着すると、カバー部１４ｄは、弾性変形することにより、口部２１の内面、内筒１０ａの外面に水密に密着する。
【００２８】
図８の中栓１０は、図１、図５の中栓１０と同様にして、容器２０内の図示しない薬液Ｗを１滴ずつ滴下させることができ、容器２０を正立姿勢に戻すとき、薬液通路１２、１２…の開口部１２ａ、１２ａ…、テーパ孔１５、オリフィス１５ａを介し、頂部１１の外面に付着している薬液Ｗを一層円滑に容器２０内に戻すことができる。テーパ孔１５、オリフィス１５ａは、それぞれ上向きに滑らかに開拡していることにより、内部の薬液Ｗに対し、表面張力による下向きの力を及ぼすことができるからである。なお、硬質材料の内筒１０ａは、容器２０内の薬液Ｗが軟質材料の外筒１０ｂに接触することを阻止し、薬液Ｗの変質を防止することができる。
【００２９】
図５の頂部１１、薬液通路１２、１２…は、開口部１２ａ、１２ａ…、水切り用のエッジ１４ｃとともに、容器２０の口部２１の先端に対し、硬質材料の容器２０と一体に形成することができる（図９）。ただし、図９（Ａ）、（Ｂ）は、それぞれ中央縦断面図、上面図である。
【００３０】
このときのキャップ３０は、２重筒形に一体成形する外キャップ３０ａの天面に対し、シール部材３０ｂを装着して形成されている（図１０の実線）。ただし、容器２０側の雄ねじ２２に適合する雌ねじ３１は、外キャップ３０ａの内筒部分に形成され、頂部１１を収納する収納部３２、エッジ１４ｃに対応するシール部３３は、それぞれシール部材３０ｂの下面、下端に形成されている。なお、シール部材３０ｂは、容器２０、キャップ３０の外キャップ３０ａを硬質材料によって作るとき、適切な軟質材料を選定するものとする。
【００３１】
キャップ３０は、雄ねじ２２、雌ねじ３１を介し、容器２０の口部２１を着脱自在に封止することができる（図１０の二点鎖線）。また、キャップ３０を外して容器２０を下向きにし（図１１（Ａ））、または任意に傾けると（同図（Ｂ））、図７と全く同様にして、容器２０内の薬液Ｗを水滴Ｗ1 の１滴ずつとして滴下することができる。
【００３２】
以上の説明において、図１〜図４の中栓１０の頂部１１、薬液通路１２、１２…、段１４ａも、図９〜図１１に倣って、容器２０の口部２１の先端に容器２０と一体に形成してもよい。また、以上の各実施の形態において、頂部１１の外周に形成する薬液通路１２、１２…は、図示の４条に限らず、任意の複数条を等間隔に、または不等間隔に設けることができ、各薬液通路１２の断面形状は、Ｖ字状、長円状に代えて、Ｕ字状、コ字状などに変形してもよい。
【図面の簡単な説明】
【００３３】
【図１】全体構成説明図
【図２】要部拡大斜視図
【図３】使用状態説明図
【図４】動作説明図
【図５】他の実施の形態を示す図１相当図（１）
【図６】他の実施の形態を示す図３相当図（１）
【図７】他の実施の形態を示す図４相当図（１）
【図８】他の実施の形態を示す構成説明図
【図９】他の実施の形態を示す図１相当図（２）
【図１０】他の実施の形態を示す図３相当図（２）
【図１１】他の実施の形態を示す図４相当図（２）
【符号の説明】
【００３４】
Ｗ…薬液
Ｃ…軸心
１０…中栓
１０ａ…内筒
１０ｂ…外筒
１１…頂部
１２…薬液通路
１２ａ…開口部
１３…スカート部
１４ａ…段
１４ｃ…エッジ
２０…容器
２１…口部
特許出願人          伸晃化学株式会社
代理人  弁理士        松  田  忠  秋
【図１】
2005118536.tif 000003
【図２】
2005118536.tif 000004
【図３】
2005118536.tif 000005
【図４】
2005118536.tif 000006
【図５】
2005118536.tif 000007
【図６】
2005118536.tif 000008
【図７】
2005118536.tif 000009
【図８】
2005118536.tif 000010
【図９】
2005118536.tif 000011
【図１０】
2005118536.tif 000012
【図１１】
2005118536.tif 000013